(57)【要約】【課題】取付枠の開口部の幅寸法を大きくして配線器具のケースを大型化できる配線器具取付構造を提供する。【解決手段】配線器具１の左右側面に外接して複数の係止孔４ｄを形成した左右枠部４ａと、左右枠部４ａの上下前端間を連結して上下方向に張設された上下枠部４ｂと、上下枠部４ｂから背面方向に延設されて先端を内側方向に折曲して配線器具１の背面に螺着する螺子３が挿通するための螺子挿通孔４ｅを形成した脚部４ｃとから成る補助枠４に配線器具１を取り付け、補助枠４の左右枠部４ａと脚部４ｃに外接する側枠部５ａの内側面に補助枠４の係止孔４ｄと対向する係止爪５ｃを形成するとともに、側枠部５ａの上下前端縁から外側方向に前枠部５ｂを張設して成る取付枠５に補助枠４を挿入し、補助枠４の係止孔４ｄを取付枠５の係止爪５ｃに係止して取り付ける。【選択図】図１
2007252101.tif 000002
【特許請求の範囲】
【請求項１】
取付枠に配線器具を取り付ける配線器具取付構造において、前記配線器具の左右側面に外接して複数の係止孔を形成した左右枠部と、該左右枠部の上下前端間を連結して上下方向に張設された上下枠部と、該上下枠部から背面方向に延設されて先端を内側方向に折曲して前記配線器具の背面に螺着する螺子が挿通するための螺子挿通孔を形成した脚部とから成る補助枠に前記配線器具を取り付け、前記補助枠の左右枠部と脚部に外接する側枠部の内側面に前記補助枠の係止孔と対向する係止爪を形成するとともに、前記側枠部の上下前端縁から外側方向に前枠部を張設して成る取付枠に前記補助枠を挿入し、前記補助枠の係止孔を前記取付枠の係止爪に係止して取り付けることを特徴とする配線器具取付構造。
【請求項２】
前記取付枠の側枠部の内側面に前記補助枠の左右枠部の後端縁が当接するように段部を形成したことを特徴とする請求項１に記載の配線器具取付構造。
【請求項３】
前記補助枠の螺子挿通孔は前記配線器具のケースを構成する複数の分割ケースを連結固定するための螺子が螺着する螺子孔と対向する位置に形成したことを特徴とする請求項１又は請求項２に記載の配線器具取付構造。
【発明の詳細な説明】
【技術分野】
【０００１】
本発明は、取付枠に配線器具を取り付ける配線器具取付構造に関する。
【背景技術】
【０００２】
従来の配線器具が取り付けられる取付枠は、中央に配線器具の前面を突出させて露出させる開口部を形成し、左右両枠部は係止部を形成した側壁部と、配線器具の前面に当接する前壁部とで構成して、右枠部の側壁部が撓むように形成されている。また、配線器具は、左右両端部に取付枠に係止する係合突部が形成されている。そして、配線器具の一方の係合突部を取付枠の左枠部の係止部に係止させ、この係止させた部分を支点に配線器具を前方に回動させることにより他方の係合突部が取付枠の右枠部を外側に撓ませて回動し、配線器具の左右両端部が取付枠の前壁部に当接すると係合突部が係止部に係止することで配線器具が取り付けられるようになっている（例えば、特許文献１参照。）。
【０００３】
【特許文献１】特開２００２−４４８２４号公報
【発明の開示】
【発明が解決しようとする課題】
【０００４】
このように、従来の配線器具取付構造では取付枠の左右両枠部に前壁部を備えているので、取付枠の開口部の幅寸法が小さくなり、従って配線器具を開口部から突出させるためには配線器具の左右両端部を段状に形成しなければならず、配線器具の部品収納スペースが少なくなる原因となっていた。
【課題を解決するための手段】
【０００５】
本発明は、請求項１に記載の発明によれば、取付枠に配線器具を取り付ける配線器具取付構造において、配線器具の左右側面に外接して複数の係止孔を形成した左右枠部と、左右枠部の上下前端間を連結して上下方向に張設された上下枠部と、上下枠部から背面方向に延設されて先端を内側方向に折曲して配線器具の背面に螺着する螺子が挿通するための螺子挿通孔を形成した脚部とから成る補助枠に配線器具を取り付け、補助枠の左右枠部と脚部に外接する側枠部の内側面に補助枠の係止孔と対向する係止爪を形成するとともに、側枠部の上下前端縁から外側方向に前枠部を張設して成る取付枠に補助枠を挿入し、補助枠の係止孔を取付枠の係止爪に係止して取り付けることを特徴とする。
【０００６】
請求項２に記載の発明によれば、請求項１に記載の配線器具取付構造において、取付枠の側枠部の内側面に補助枠の左右枠部の後端縁が当接するように段部を形成したことを特徴とする。
【０００７】
請求項３に記載の発明によれば、請求項１又は請求項２に記載の配線器具取付構造において、補助枠の螺子挿通孔は配線器具のケースを構成する複数の分割ケースを連結固定するための螺子が螺着する螺子孔と対向する位置に形成したことを特徴とする。
【発明の効果】
【０００８】
本発明は、請求項１に記載の発明によれば、取付枠の開口部の幅寸法を大きくすることができるので配線器具を大型化でき、部品の収納スペースを拡大することができるという効果がある。
【０００９】
請求項２に記載の発明によれば、配線器具に背面方向の力が加えられたときに補助枠の張出部及び取付枠の前枠部に加わる力を減少させて破損を防止することができるという効果がある。
【００１０】
請求項３に記載の発明によれば、配線器具のケースの連結固定と補助枠との固定を共通化することができるという効果がある。
【発明を実施するための最良の形態】
【００１１】
配線器具の左右側面に外接して複数の係止孔を形成した左右枠部と、左右枠部の上下前端間を連結して上下方向に張設された上下枠部と、上下枠部から背面方向に延設されて先端を内側方向に折曲して配線器具の背面に螺着する螺子が挿通するための螺子挿通孔を形成した脚部とから成る補助枠に配線器具を取り付け、補助枠の左右枠部と脚部に外接する側枠部の内側面に補助枠の係止孔と対向する係止爪を形成するとともに、側枠部の上下前端縁から外側方向に前枠部を張設して成る取付枠に補助枠を挿入し、補助枠の係止孔を取付枠の係止爪に係止して取り付ける。
【実施例１】
【００１２】
本発明に係る配線器具取付構造の実施例１を図１〜図３の添付図面に基づいて説明する。
【００１３】
配線器具１は前面ケース２ａと背面ケース２ｂとでケース２を構成し、背面ケース２ｂから前面ケース２ａに連通する螺子孔２ｃが形成されて、螺子孔２ｃに螺子３を挿通螺着することで連結固定するようになっており、補助枠４を介して取付枠５に取り付けられる。尚、前面ケース２ａには電源プラグを接続するための差込孔２ｄとトラッキングや漏電などの異常時に電路を遮断する遮断機構の開閉スイッチ２ｅとが設けられている。
【００１４】
補助枠４は配線器具１の左右側面に外接する左右枠部４ａと、左右枠部４ａの上下前端間を連結して上下方向に張設された上下枠部４ｂと、上下枠部４ｂの内側端から背面方向に延設された脚部４ｃとで構成し、左右枠部４ａには矩形状の係止孔４ｄが所定間隔をおいて複数形成され、脚部４ｃは先端が内側方向に折曲されて配線器具１の背面に当接するように形成され、折曲された先端部分には配線器具１の螺子孔２ｃと対向する位置に螺子挿通孔４ｅが形成されている。
【００１５】
また、取付枠５は合成樹脂により形成され、補助枠４の左右枠部４ａと脚部４ｃに外接する側枠部５ａと、側枠部５ａの上下前端縁から外側方向に張設された前枠部５ｂとで構成され、左右の側枠部５ａには補助枠４の係止孔４ｄに係止する係止爪５ｃと補助枠４の左右枠部４ａの後端縁が当接する段部５ｄが形成され、前枠部５ｂには補助枠４の上下枠部４ｂが嵌まる凹部５ｅと、壁などに固定するための取付孔５ｆが形成されている。
【００１６】
配線器具１は前面ケース２ａと背面ケース２ｂを組み合わせて補助枠４に前面方向から嵌め入れ、背面から補助枠４の螺子挿通孔４ｅに螺子３を挿通させてケース２の螺子孔２ｃに螺着することにより、配線器具１の前面ケース２ａと背面ケース２ｂを連結固定するとともに、配線器具１に補助枠４を固定する。
【００１７】
それから、補助枠４が取り付けられた配線器具１を取付枠５に前面方向から嵌め入れる。配線器具１を嵌め入れると補助枠４の左右枠部４ａの後端縁が取付枠５の係止爪５ｃの傾斜面に当接する。そこから配線器具１を押し込むと取付枠５の左右の側枠部５ａが外側に撓み、係止爪５ｃに補助枠４の左右枠部４ａが乗り上げて移動する。そして、取付枠５の係止爪５ｃに補助枠４の係止孔４ｄが嵌まると左右の側枠部５ａの撓みが解消して係止爪５ｃの垂直面が補助枠４の係止孔４ｄに係止し、補助枠４の上下枠部４ｂが取付枠５の前枠部５ｂの凹部５ｅに嵌まって当接するとともに補助枠４の左右枠部４ａの後端縁が取付枠５の段部５ｄに当接して、配線器具１が取付枠５に取り付けられる。
【００１８】
補助枠４の左右枠部４ａの後端縁が取付枠５の段部５ｄに当接することによって配線器具１に電源プラグを差込接続する場合などで背面方向に力が加えられたときに段部５ｄがない場合に比べて補助枠４の上下枠部４ｂ及び取付枠５の前枠部５ｂに加わる力が減少するので破損を防止するようになっている。
【００１９】
また、取付枠５から配線器具１を取り外すには、取付枠５の左右の側枠部５ａを外側に撓ませて取付枠５の係止爪５ｃと補助枠４の係止孔４ｄの係止を解除した状態で配線器具１を前方に押し出すことで配線器具１を取り外すことができる。
【００２０】
尚、配線器具１が取り付けられた取付枠５は配線器具１を露出するようにして前面に金属プレートが嵌め合わされ、金属プレートと取付枠５の取付孔５ｆに取付ネジを挿通させて壁に固定された後、金属プレートの前面に配線器具１を露出するようにしてフラッシプレートが取り付けられて使用される。
【００２１】
このようにして取付枠５に配線器具１を取り付けるようにしたことで取付枠５の開口部の幅寸法を大きくすることができるので配線器具１を大型化でき、従来の配線器具に比べて電子部品などを収納するスペースを拡大することができる。これにより、例えば、遮断機能付きコンセントにおいては２対の差込孔２ｄをケース２の幅方向の一方に偏心させて配置し、ケース２の幅方向の他方に遮断機構を配置することができ、差込孔２ｄを減らすことなく開閉スイッチ２ｅをケース２の前面に設けることができる。
【図面の簡単な説明】
【００２２】
【図１】本発明の実施例に係る配線器具取付構造を示す分解斜視図である。
【図２】本発明の実施例に係る配線器具取付構造を示し、補助枠を取り付けた配線器具を取付枠に取り付ける様子を示す斜視図である。
【図３】本発明の実施例に係る配線器具取付構造を示し、配線器具を取付枠に取り付けた状態の斜視図である。
【符号の説明】
【００２３】
１    配線器具
２    ケース
２ｃ    螺子孔
３    螺子
４    補助枠
４ａ    左右枠部
４ｂ    上下枠部部
４ｃ    脚部
４ｄ    係止孔
４ｅ    螺子挿通孔
５    取付枠
５ａ    側枠部
５ｂ    前枠部
５ｃ    係止爪
５ｄ    段部
【図１】
2007252101.tif 000003
【図２】
2007252101.tif 000004
【図３】
2007252101.tif 000005